(57)【要約】  遅延時間の増加もなく、急峻な画像特徴量の変化に対しても映像符号化ビットレートの追従が可能な映像符号化システムを提供する。番組バンク装置１０のエンコーダ１１ａ〜１１ｎで番組ＶＴＲ１ａ〜１ｎからの番組の映像・音声データを圧縮符号化するとともに当該番組の映像データの画像特徴量を抽出して番組データベース１２に蓄積する。番組運行管理サーバ５０からの番組運行情報５１が示す番組の送出時刻よりも所定時間早い時点に達した際に、番組データベース１２から画像特徴量１５を統計多重コントローラ４０に通知し、統計多重解析処理により映像符号化ビットレートを事前に算出しておき、当該番組の送出時刻に達すると、番組データベース１２からの当該番組の映像・音声データをデコーダ１３ａ〜１３ｎでデコードして送出エンコーダ２０ａ〜２１ｎに出力するタイミングに合わせて、送出エンコーダ２０ａ〜２１ｎに対して出力する。
2013038582.tif 000002
【特許請求の範囲】
【請求項１】
放送用の番組の映像・音声データを蓄積し、連携して動作する番組運行管理サーバからの番組運行情報にしたがって、送出すべき番組の映像・音声データを取り出す番組バンク装置と、
取り出した当該番組の映像・音声データをトランスポートストリーム形式に適する状態に符号化する１ないし複数の送出エンコーダと、
送出すべき番組の映像データから抽出した画像特徴量に関する統計多重解析処理を実施して、前記送出エンコーダにおいて映像データを符号化する際に用いる映像符号化ビットレートを算出する統計多重コントローラと、を備えた映像符号化システムであって、
前記番組バンク装置は、
番組の映像・音声データを圧縮符号化するとともに、当該番組の映像データの画像特徴量を抽出する１ないし複数のエンコーダと、
前記エンコーダによって圧縮符号化した番組の映像・音声データと抽出した画像特徴量との双方を蓄積する番組データベースと、
前記番組運行情報が示す番組の送出時刻に達した際に、前記番組データベースに蓄積された当該番組に関する映像・音声データをデコードして前記送出エンコーダに対して出力する１ないし複数のデコーダと、
前記番組運行情報が示す番組の送出時刻よりもあらかじめ定めた時間だけ早い時点に達した際に、前記番組データベースに蓄積された当該番組に関する映像データの画像特徴量を取り出して、前記統計多重コントローラに通知する手段と、を備え、
前記統計多重コントローラは、
前記番組運行管理サーバからの前記番組運行情報が示す番組の送出時刻を参照することにより、前記番組バンク装置から通知されてきた番組の映像データの前記画像特徴量に関する統計多重解析処理を実施して前記送出エンコーダ用の映像符号化ビットレートを事前に算出しておき、当該番組のデコードされた映像・音声データが前記番組バンク装置の前記デコーダから前記送出エンコーダに出力されるタイミングに合わせて、算出した前記映像符号化ビットレートを前記送出エンコーダに出力する
ことを特徴とする映像符号化システム。
【請求項２】
請求項１に記載の映像符号化システムにおいて、
前記送出エンコーダは、
前記番組バンク装置の前記デコーダから出力されてきた映像・音声データを、タイミングを合わせて、前記統計多重コントローラから出力されてきた前記映像符号化ビットレートを用いて、トランスポートストリーム形式に適合する状態に符号化する
ことを特徴とする映像符号化システム。
【請求項３】
請求項１または請求項２に記載の映像符号化システムにおいて、
前記番組バンク装置内に備えた前記エンコーダにおいて、番組の映像・音声データを圧縮符号化するとともに、当該番組の映像データの画像特徴量を抽出するための符号化方式として、ＭＰＥＧまたはＨ．２６４を用いる
ことを特徴とする映像符号化システム。
【請求項４】
放送用の番組の映像・音声データを蓄積する番組バンク装置であって、
番組の映像・音声データを圧縮符号化するとともに、当該番組の映像データの画像特徴量を抽出する１ないし複数のエンコーダと、
前記エンコーダによって圧縮符号化した番組の映像・音声データと抽出した画像特徴量との双方を蓄積する番組データベースと、
連携して動作する番組運行管理サーバからの番組運行情報が示す番組の送出時刻に達した際に、前記番組データベースに蓄積された当該番組に関する映像・音声データをデコードして、トランスポートストリーム形式に適する状態に符号化する送出エンコーダに対して出力する１ないし複数のデコーダと、
前記番組運行情報が示す番組の送出時刻よりもあらかじめ定めた時間だけ早い時点に達した際に、前記番組データベースに蓄積された当該番組に関する映像データの画像特徴量を取り出して、前記送出エンコーダにおける映像符号化用の映像符号化ビットレートを算出する統計多重コントローラに通知する手段と、を備えている
ことを特徴とする番組バンク装置。
【請求項５】
請求項４に記載の番組バンク装置において、
前記エンコーダにおいて、番組の映像・音声データを圧縮符号化するとともに、当該番組の映像データの画像特徴量を抽出するための符号化方式として、ＭＰＥＧまたはＨ．２６４を用いる
ことを特徴とする番組バンク装置。
【請求項６】
連携して動作する番組運行管理サーバからの番組運行情報にしたがって、放送用の番組の映像・音声データを蓄積した番組バンク装置から送出すべき番組の映像・音声データを取り出して、１ないし複数の送出エンコーダによってトランスポートストリーム形式に適する状態に符号化して出力する映像符号化方法であって、
前記番組バンク装置に番組の映像・音声データを蓄積する際に、当該番組の映像データの画像特徴量を抽出し、
抽出した該画像特徴量を当該番組の映像・音声データとともに蓄積し、
前記番組運行情報が示す当該番組の送出時刻よりもあらかじめ定めた時間だけ早い時点に達した際に、蓄積しておいた当該番組に関する前記画像特徴量を取り出して、統計多重解析処理を実施して、前記送出エンコーダにおいて映像データを符号化する際に用いる映像符号化ビットレートを事前に算出し、
前記番組運行情報が示す当該番組の送出時刻に達した際に、前記番組バンク装置に蓄積されている当該番組の映像・音声データを前記送出エンコーダに出力するとともに、事前に算出しておいた前記映像符号化ビットレートを前記送出エンコーダに出力する
ことを特徴とする映像符号化方法。
【請求項７】
請求項６に記載の映像符号化方法において、
前記送出エンコーダは、出力されてきた前記番組の映像・音声データを、同時に出力されてきた前記映像符号化ビットレートを用いて、トランスポートストリーム形式に適合する状態に符号化する
ことを特徴とする映像符号化方法。
【請求項８】
請求項６または請求項７に記載の映像符号化方法において、
前記番組バンク装置に番組の映像・音声データと抽出した前記画像特徴量とを蓄積する際に、符号化方式としてＭＰＥＧまたはＨ．２６４を用いて、当該番組の映像・音声データを圧縮符号化するとともに、前記画像特徴量を抽出し、抽出した前記画像特徴量を圧縮符号化した映像・音声データとともに前記番組バンク装置に蓄積する
ことを特徴とする映像符号化方法。
【請求項９】
請求項１に記載の映像符号化システムに組み込まれたコンピュータを、
前記番組バンク装置、前記送出エンコーダ、および、前記統計多重コントローラ、として機能させる映像符号化プログラムを記録したプログラム記録媒体。
【発明の詳細な説明】
【技術分野】
【０００１】
本発明は、映像符号化システム、番組バンク装置および映像符号化方法に関する。
具体的には、本発明は、番組運行管理サーバ連携の統計多重制御方式を採用した映像符号化システム、番組バンク装置および映像符号化方法に関する。
本発明は、例えば、地上デジタル放送、ケーブルテレビ放送、ＢＳ（Broadcasting  Satellite）衛星放送、ＣＳ（Communications  Satellite）衛星放送、ＩＰＴＶ（Internet  Protocol  Television）放送等の放送システムに好適に適用されうる。
【背景技術】
【０００２】
特許文献１（特開２００６−７４３３２号公報「多重伝送装置および方法」）に、リアルタイムエンコーダ（実時間符号化装置）において統計多重制御を実施する方法が開示されている。
しかし、この方法では、急峻な画像特徴量に追従するために、ディレイ回路を備えた２パスリアルタイムエンコーダを用いて、統計多重制御が完了するまで映像を遅延させることが必要であった。【０００３】
また、映像を遅延させずに統計多重制御を実施する場合は、図３に示すようなシステム構成が採用されている。
図３は、従来の映像符号化システムのシステム構成を示すシステム構成図である。
図３に示す映像符号化システムは、番組バンク装置１０Ａ、送出エンコーダグループ２０Ａ、ＴＳ−ＭＵＸ３０および統計多重コントローラ４０Ａを含んで構成され、番組運行管理サーバ５０と連携して動作する。【０００４】
番組の映像・音声情報は、番組ごとに、第１番組ＶＴＲ１ａ、第２番組ＶＴＲ１ｂ、第３番組ＶＴＲ１ｃ、…、第ｎ番組ＶＴＲ１ｎ等に記録されている。
これらは、それぞれ、番組バンク装置１０Ａの第１エンコーダ１１Ａａ、第２エンコーダ１１Ａｂ、第３エンコーダ１１Ａｃ、…、第ｎエンコーダ１１Ａｎによって圧縮符号化されて、番組バンク装置１０Ａの番組データベース１２Ａ内に蓄積されている。
なお、図３においては、第１番組ＶＴＲ１ａ、第２番組ＶＴＲ１ｂ、第３番組ＶＴＲ１ｃ、…、第ｎ番組ＶＴＲ１ｎや第１エンコーダ１１Ａａ、第２エンコーダ１１Ａｂ、第３エンコーダ１１Ａｃ、…、第ｎエンコーダ１１Ａｎ等の「第１××」、「第２××」、「第３××」、…、「第ｎ××」という名称を、記載の簡素化を図るために、「××１」、「××２」、「××３」、…、「××ｎ」と表現している（他の名称についても同様）。【０００５】
ここで、連携して動作する番組運行管理サーバ５０から番組運行情報５１が入力されてくる。
すると、該当する番組の映像・音声データを番組データベース１２Ａから取り出して、第１デコーダ１３ａ、第２デコーダ１３ｂ、第３デコーダ１３ｃ、…、第ｎデコーダ１３ｎによってデコードする。
デコードされた信号は、第１映像・音声１４ａ、第２映像・音声１４ｂ、第３映像・音声１４ｃ、…、第ｎ映像・音声１４ｎとして、送出エンコーダグループ２０Ａに対して出力される。
送出エンコーダグループ２０Ａは、第１送出エンコーダ２０Ａａ、第２送出エンコーダ２０Ａｂ、第３送出エンコーダ２０Ａｃ、…、第ｎ送出エンコーダ２０Ａｎを有する。【０００６】
送出エンコーダグループ２０Ａにおいては、映像・音声１４ａ、１４ｂ、１４ｃ、１４ｎが入力されてくると、各送出エンコーダそれぞれにて第１画像特徴量２２ａ、第２画像特徴量２２ｂ、第３画像特徴量２２ｃ、…、第ｎ画像特徴量２２ｎを解析する。
第１画像特徴量２２ａ、第２画像特徴量２２ｂ、第３画像特徴量２２ｃ、…、第ｎ画像特徴量２２ｎは、統計多重コントローラ４０Ａにフィードバックされる。
第１画像特徴量２２ａ、第２画像特徴量２２ｂ、第３画像特徴量２２ｃ、…、第ｎ画像特徴量２２ｎは、第１ＴＳ２１ａ、第２ＴＳ２１ｂ、第３ＴＳ２１ｃ、…、第ｎＴＳ２１ｎのトランスポートストリーム（ＴＳ：Transport  Stream）形式に適合する状態に符号化するために必要となる。【０００７】
該統計多重コントローラ４０Ａは、番組運行管理サーバ５０からの番組運行情報５２を参照する。
さらに、統計多重コントローラ４０Ａは、送出エンコーダグループ２０Ａの各送出エンコーダからフィードバックされてきた各画像特徴量を用いて、統計多重解析処理を行う。
これによって、それぞれの映像データの符号化に適する第１映像符号化ビットレート４１Ａａ、第２映像符号化ビットレート４１Ａｂ、第３映像符号化ビットレート４１Ａｃ、…、第ｎ映像符号化ビットレート４１Ａｎを求める。
第１映像符号化ビットレート４１Ａａ、第２映像符号化ビットレート４１Ａｂ、第３映像符号化ビットレート４１Ａｃ、…、第ｎ映像符号化ビットレート４１Ａｎは、第１送出エンコーダ２０Ａａ、第２送出エンコーダ２０Ａｂ、第３送出エンコーダ２０Ａｃ、…、第ｎ送出エンコーダ２０Ａｎそれぞれに対して出力される。【０００８】
かくのごときフィードバック制御を行うことによって、第１送出エンコーダ２０Ａａ、第２送出エンコーダ２０Ａｂ、第３送出エンコーダ２０Ａｃ、…、第ｎ送出エンコーダ２０Ａｎは、統計多重コントローラ４０Ａからの第１映像符号化ビットレート４１Ａａ、第２映像符号化ビットレート４１Ａｂ、第３映像符号化ビットレート４１Ａｃ、…、第ｎ映像符号化ビットレート４１Ａｎを取得する。
第１送出エンコーダ２０Ａａ、第２送出エンコーダ２０Ａｂ、第３送出エンコーダ２０Ａｃ、…、第ｎ送出エンコーダ２０Ａｎは、それぞれの第１映像・音声１４ａ、第２映像・音声１４ｂ、第３映像・音声１４ｃ、…、第ｎ映像・音声１４ｎの符号化を適切なビットレートで行う。
これにより、映像品質を低下させることなく、第１ＴＳ２１ａ、第２ＴＳ２１ｂ、第３ＴＳ２１ｃ、…、第ｎＴＳ２１ｎを生成できる。
これら第１ＴＳ２１ａ、第２ＴＳ２１ｂ、第３ＴＳ２１ｃ、…、第ｎＴＳ２１ｎは、ＴＳ−ＭＵＸ３０に出力される。【０００９】
ＴＳ−ＭＵＸ３０においては、入力されてくる第１ＴＳ２１ａ、第２ＴＳ２１ｂ、第３ＴＳ２１ｃ、…、第ｎＴＳ２１ｎを多重化して、トランスポートストリームＴＳｍとして出力する。【００１０】
以上のように、図３に示す映像符号化システムにおいては、送出エンコーダグループ２０Ａの第１送出エンコーダ２０Ａａ、第２送出エンコーダ２０Ａｂ、第３送出エンコーダ２０Ａｃ、…、第ｎ送出エンコーダ２０Ａｎにおいて解析した映像符号化後の画像特徴量（第１画像特徴量２２ａ、第２画像特徴量２２ｂ、第３画像特徴量２２ｃ、…、第ｎ画像特徴量２２ｎ）を統計多重コントローラ４０Ａへ通知する。
そして、統計多重コントローラ４０Ａにおいて、第１送出エンコーダ２０Ａａ、第２送出エンコーダ２０Ａｂ、第３送出エンコーダ２０Ａｃ、…、第ｎ送出エンコーダ２０Ａｎの各送出エンコーダの割り当てビットレート（第１映像符号化ビットレート４１Ａａ、第２映像符号化ビットレート４１Ａｂ、第３映像符号化ビットレート４１Ａｃ、…、第ｎ映像符号化ビットレート４１Ａｎ）を算出するという統計多重制御を実施する。
このような動作のために、フィードバック型制御を採用する必要がある。【００１１】
ここで、第１映像・音声１４ａ、第２映像・音声１４ｂ、第３映像・音声１４ｃ、…、第ｎ映像・音声１４ｎに関して画像特徴量に急激な変化がある場合がある。
このような場合、各送出エンコーダ２０Ａａ、２０Ａｂ、２０Ａｃ、２０Ａｎへの割り当てビットレート制御を、各送出エンコーダにおける映像のリアルタイムの符号化タイミングに追従させることは難しい。
【先行技術文献】
【特許文献】
【００１２】
【特許文献１】特開２００６−７４３３２号公報（第３−５頁）
【発明の概要】
【発明が解決しようとする課題】
【００１３】
従来の映像符号化システムにおける統計多重制御においては、前述したように、送出エンコーダで解析した画像特徴量を統計多重コントローラで解析して、各送出エンコーダの割り当てビットレートすなわち映像符号化ビットレートを算出していた。
このため、統計多重制御がフィードバック型制御となっていた。
したがって、画像特徴量の急激な変化があった場合、送出エンコーダへの割り当てビットレート制御を映像のリアルタイムの符号化タイミングに追従させることが困難になるという問題があった。【００１４】
（本発明の目的）
本発明は、かかる問題に鑑みてなされたものであり、リアルタイムエンコーダにおける遅延時間を増加させることもなく、急峻な画像特徴量の変化に対しても映像符号化ビットレートを追従させることができる映像符号化システム、番組バンク装置および映像符号化方法を提供することを、その目的としている。
【課題を解決するための手段】
【００１５】
前述の課題を解決するため、本発明による映像符号化システム、番組バンク装置および映像符号化方法は、主に、次のような特徴的な構成を採用している。【００１６】
本発明による映像符号化システムは、
放送用の番組の映像・音声データを蓄積し、連携して動作する番組運行管理サーバからの番組運行情報にしたがって、送出すべき番組の映像・音声データを取り出す番組バンク装置と、
取り出した当該番組の映像・音声データをトランスポートストリーム形式に適する状態に符号化する１ないし複数の送出エンコーダと、
送出すべき番組の映像データから抽出した画像特徴量に関する統計多重解析処理を実施して、前記送出エンコーダにおいて映像データを符号化する際に用いる映像符号化ビットレートを算出する統計多重コントローラと、を備えた映像符号化システムであって、
前記番組バンク装置は、
番組の映像・音声データを圧縮符号化するとともに、当該番組の映像データの画像特徴量を抽出する１ないし複数のエンコーダと、
前記エンコーダによって圧縮符号化した番組の映像・音声データと抽出した画像特徴量との双方を蓄積する番組データベースと、
前記番組運行情報が示す番組の送出時刻に達した際に、前記番組データベースに蓄積された当該番組に関する映像・音声データをデコードして前記送出エンコーダに対して出力する１ないし複数のデコーダと、
前記番組運行情報が示す番組の送出時刻よりもあらかじめ定めた時間だけ早い時点に達した際に、前記番組データベースに蓄積された当該番組に関する映像データの画像特徴量を取り出して、前記統計多重コントローラに通知する手段と、を備え、
前記統計多重コントローラは、
前記番組運行管理サーバからの前記番組運行情報が示す番組の送出時刻を参照することにより、前記番組バンク装置から通知されてきた番組の映像データの前記画像特徴量に関する統計多重解析処理を実施して前記送出エンコーダ用の映像符号化ビットレートを事前に算出しておき、当該番組のデコードされた映像・音声データが前記番組バンク装置の前記デコーダから前記送出エンコーダに出力されるタイミングに合わせて、算出した前記映像符号化ビットレートを前記送出エンコーダに出力する
ことを特徴とする。【００１７】
本発明による番組バンク装置は、
放送用の番組の映像・音声データを蓄積する番組バンク装置であって、
番組の映像・音声データを圧縮符号化するとともに、当該番組の映像データの画像特徴量を抽出する１ないし複数のエンコーダと、
前記エンコーダによって圧縮符号化した番組の映像・音声データと抽出した画像特徴量との双方を蓄積する番組データベースと、
連携して動作する番組運行管理サーバからの番組運行情報が示す番組の送出時刻に達した際に、前記番組データベースに蓄積された当該番組に関する映像・音声データをデコードして、トランスポートストリーム形式に適する状態に符号化する送出エンコーダに対して出力する１ないし複数のデコーダと、
前記番組運行情報が示す番組の送出時刻よりもあらかじめ定めた時間だけ早い時点に達した際に、前記番組データベースに蓄積された当該番組に関する映像データの画像特徴量を取り出して、前記送出エンコーダにおける映像符号化用の映像符号化ビットレートを算出する統計多重コントローラに通知する手段と、を備えている
ことを特徴とする。【００１８】
本発明による映像符号化方法は、
連携して動作する番組運行管理サーバからの番組運行情報にしたがって、放送用の番組の映像・音声データを蓄積した番組バンク装置から送出すべき番組の映像・音声データを取り出して、１ないし複数の送出エンコーダによってトランスポートストリーム形式に適する状態に符号化して出力する映像符号化方法であって、
前記番組バンク装置に番組の映像・音声データを蓄積する際に、当該番組の映像データの画像特徴量を抽出し、
抽出した該画像特徴量を当該番組の映像・音声データとともに蓄積し、
前記番組運行情報が示す当該番組の送出時刻よりもあらかじめ定めた時間だけ早い時点に達した際に、蓄積しておいた当該番組に関する前記画像特徴量を取り出して、統計多重解析処理を実施して、前記送出エンコーダにおいて映像データを符号化する際に用いる映像符号化ビットレートを事前に算出し、
前記番組運行情報が示す当該番組の送出時刻に達した際に、前記番組バンク装置に蓄積されている当該番組の映像・音声データを前記送出エンコーダに出力するとともに、事前に算出しておいた前記映像符号化ビットレートを前記送出エンコーダに出力する
ことを特徴とする。
【発明の効果】
【００１９】
本発明の映像符号化システム、番組バンク装置および映像符号化方法によれば、以下のような効果を奏することができる。【００２０】
第１の効果としては次のことがある。
すなわち、番組バンク装置に蓄積された画像特徴量を番組送出以前の適当なタイミングで統計多重コントローラに対して通知する。
これにより、急峻な画像特徴量の変化があった場合においても、事前に映像符号化ビットレートを算出済みでできる。
したがって、番組送出時点に達した際に、番組バンク装置から送出されてくる映像・音声データに映像符号化ビットレートを追従させて、送出エンコーダにおいて符号化を行うことができる。
これにより、画像品質の劣化を抑えることができる。【００２１】
第２の効果としては次のことがある。
前記特許文献１（特開２００６−７４３３２号公報）に記載されているような２パスリアルタイムエンコーダを使用する方式に比して、ディレイ回路が不要な構成となっている。
したがって、送出エンコーダの遅延時間を大幅に削減することが可能になる。
【図面の簡単な説明】
【００２２】
【図１】本発明による映像符号化システムのシステム構成の一例を示すシステム構成図である。
【図２】図１の映像符号化システムの動作の一例を説明するためのシーケンス図である。
【図３】従来の映像符号化システムのシステム構成を示すシステム構成図である。
【発明を実施するための形態】
【００２３】
以下、本発明による映像符号化システム、番組バンク装置および映像符号化方法の好適な実施形態について添付図を参照して説明する。
なお、以下の説明においては、本発明による映像符号化システム、番組バンク装置および映像符号化方法について説明するが、かかる映像符号化方法をコンピュータにより実行可能な映像符号化プログラムとして実施するようにしても良い。
また、コンピュータにより読み取り可能な記録媒体に映像符号化プログラムを記録するようにしても良い。
【００２４】
（本発明の特徴）
本発明の実施形態の説明に先立って、本発明の特徴についてその概要をまず説明する。
本発明は、番組バンク装置の番組データベースに映像の素材を登録する際に、該映像の特徴量を算出して、番組データベースに該映像の素材と一緒に保存しておく。
番組運行管理サーバからの番組運行情報を取得することによって判別した番組送出前の適当な時刻に、当該番組の映像に対応して保存している画像特徴量を番組データベースから取り出す。
取り出した画像特徴量を統計多重コントローラに事前に送出して、該統計多重コントローラにおける統計多重解析処理に使用する。
これにより、当該画像特徴量に応じた映像符号化ビットレートを、リアルタイム性を損なうことなく、送出エンコーダに割り当てることができる。
【００２５】
すなわち、本発明においては、番組バンク装置に事前に登録されている映像データの画像特徴量を事前に解析しておく。
番組送出前の適当なタイミングに、該画像特徴量を統計多重コントローラ（統計多重制御装置）へ送出する。
これによって、画像特徴量の急峻な変化に対しても、リアルタイムエンコーダにおける遅延時間を増加させることなく、映像の符号化すべきタイミングに追従させて映像符号化ビットレートを送出エンコーダに割り当てる。
したがって、遅延時間なく、リアルタイムに、映像・音声をトランスポートストリーム形式に適した状態に符号化することができる。
【００２６】
異なる角度からさらに説明する。
本発明においては、番組バンク装置への番組素材の登録時に、番組バンク装置内部のエンコーダにおいて圧縮符号化する際に出力される画像特徴量を、圧縮符号化した映像・音声データとともに番組バンク装置へあらかじめ登録しておく。
しかる後の番組送出直前の適当な時点において、つまり、当該番組の映像・音声データの番組バンク装置からの出力よりも早い適当な時刻において、先に登録しておいた当該映像に関する画像特徴量を番組バンク装置から統計多重コントローラへ送出する。
これによって、画像特徴量の急激な変化があった場合においても、番組送出時における番組バンク装置からの映像の出力に追従させて、統計多重コントローラから映像符号化ビットレートを送出エンコーダに対して出力することができる。
【００２７】
（本発明の実施形態）
次に、本発明による映像符号化システムのシステム構成の一例について、図１を用いて説明する。
図１は、本発明による映像符号化システムのシステム構成の一例を示すシステム構成図である。
図１に示す映像符号化システムは、番組バンク装置１０、送出エンコーダグループ２０、ＴＳ−ＭＵＸ３０および統計多重コントローラ４０を少なくとも含んで構成され、番組運行管理サーバ５０と連携して動作する。
【００２８】
番組バンク装置１０は、１ないし複数のエンコーダ１１ａ、１１ｂ、１１ｃ、１１ｎと、番組データベース１２と、１ないし複数のデコーダ１３ａ、１３ｂ、１３ｃ、１３ｎと、を備える。
第１番組ＶＴＲ１ａ、第２番組ＶＴＲ１ｂ、第３番組ＶＴＲ１ｃ、…、第ｎ番組ＶＴＲ１ｎは、番組ごとの映像・音声情報を記録している。
１ないし複数のエンコーダ１１ａ、１１ｂ、１１ｃ、１１ｎは、第１番組ＶＴＲ１ａ、第２番組ＶＴＲ１ｂ、第３番組ＶＴＲ１ｃ、…、第ｎ番組ＶＴＲ１ｎ等からの映像・音声情報を一旦圧縮符号化するとともに、それぞれの映像データの特徴量を抽出する。
番組データベース１２は、各番組それぞれの圧縮符号化された映像・音声データをそれぞれの映像の特徴量とともに蓄積する。
【００２９】
第１デコーダ１３ａ、第２デコーダ１３ｂ、第３デコーダ１３ｃ、…、第ｎデコーダ１３ｎは、番組データベース１２に蓄積された番組ごとの映像・音声データをデコードして、１ないし複数の映像・音声として出力する。
すなわち、第１デコーダ１３ａ、第２デコーダ１３ｂ、第３デコーダ１３ｃ、…、第ｎデコーダ１３ｎは、第１映像・音声１４ａ、第２映像・音声１４ｂ、第３映像・音声１４ｃ、…、第ｎ映像・音声１４ｎを出力する。
【００３０】
なお、図１では、第１番組ＶＴＲ１ａ、第２番組ＶＴＲ１ｂ、第３番組ＶＴＲ１ｃ、…、第ｎ番組ＶＴＲ１ｎや第１エンコーダ１１ａ、第２エンコーダ１１ｂ、第３エンコーダ１１ｃ、…、第ｎエンコーダ１１ｎや第１映像・音声１４ａ、第２映像・音声１４ｂ、第３映像・音声１４ｃ、…、第ｎ映像・音声１４ｎや第１デコーダ１３ａ、第２デコーダ１３ｂ、第３デコーダ１３ｃ、…、第ｎデコーダ１３ｎ等の「第１××」、「第２××」、「第３××」、…、「第ｎ××」という名称を、記載の簡素化を図るために、「××１」、「××２」、「××３」、…、「××ｎ」と表現している（他の名称についても同様）。
【００３１】
番組バンク装置１０と番組運行管理サーバ５０とは連携して動作する。
番組運行管理サーバ５０から番組バンク装置１０に番組運行情報５１が送出される。
番組バンク装置１０は、番組運行情報５１に基づいて、番組の送出直前の適当なタイミングを判別する。
番組バンク装置１０は、この番組の送出直前の適当なタイミングに、番組データベース１２内に蓄積している当該番組に該当する映像データに関する画像特徴量１５を、第１映像画像特徴量、第２映像画像特徴量、第３映像画像特徴量、…、第ｎ映像画像特徴量として統計多重コントローラ４０に対して事前に送出する。
【００３２】
統計多重コントローラ４０は、番組バンク装置１０からの画像特徴量１５を受け取る。
すると、統計多重コントローラ４０は、番組運行管理サーバ５０からの番組運行情報５２を参照しながら、統計多重解析処理を実施する。
これによって、統計多重コントローラ４０は、当該画像特徴量１５を有する映像データを符号化するための映像符号化ビットレートを算出する。
統計多重コントローラ４０は、第１映像符号化ビットレート４１ａ、第２映像符号化ビットレート４１ｂ、第３映像符号化ビットレート４１ｃ、…、第ｎ映像符号化ビットレート４１ｎを送出エンコーダグループ２０に対して送出する。
【００３３】
また、送出エンコーダグループ２０は、１ないし複数の送出エンコーダすなわち第１送出エンコーダ２０Ａａ、第２送出エンコーダ２０ｂ、第３送出エンコーダ２０ｃ、…、第ｎ送出エンコーダ２０ｎを備えている。
第１送出エンコーダ２０Ａａ、第２送出エンコーダ２０ｂ、第３送出エンコーダ２０ｃ、…、第ｎ送出エンコーダ２０ｎは、各番組の映像・音声データそれぞれをトランスポートストリーム形式に適した状態に符号化する。
第１送出エンコーダ２０ａ、第２送出エンコーダ２０ｂ、第３送出エンコーダ２０ｃ、…、第ｎ送出エンコーダ２０ｎそれぞれは、番組バンク装置１０から送出されてくる第１映像・音声１４ａ、第２映像・音声１４ｂ、第３映像・音声１４ｃ、…、第ｎ映像・音声１４ｎを、統計多重コントローラ４０から送出されてくる第１映像符号化ビットレート４１ａ、第２映像符号化ビットレート４１ｂ、第３映像符号化ビットレート４１ｃ、…、第ｎ映像符号化ビットレート４１ｎの適切なビットレートに基づいて、トランスポートストリーム形式に適した状態に符号化を行う。
第１送出エンコーダ２０ａ、第２送出エンコーダ２０ｂ、第３送出エンコーダ２０ｃ、…、第ｎ送出エンコーダ２０ｎそれぞれは、第１ＴＳ２１ａ、第２ＴＳ２１ｂ、第３ＴＳ２１ｃ、…、第ｎＴＳ２１ｎを生成して、ＴＳ−ＭＵＸ３０に対して出力する。
【００３４】
ＴＳ−ＭＵＸ３０においては、入力されてくる第１ＴＳ２１ａ、第２ＴＳ２１ｂ、第３ＴＳ２１ｃ、…、第ｎＴＳ２１ｎを多重化して、トランスポートストリームＴＳｍとして、後段の番組送信システムに対して出力する。
【００３５】
以上の図１の映像符号化システムにおける基本的なシステム運用例についてさらに説明すると次の通りである。
第１番組ＶＴＲ１ａ、第２番組ＶＴＲ１ｂ、第３番組ＶＴＲ１ｃ、…、第ｎ番組ＶＴＲ１ｎ等のＶＴＲなどに番組の映像・音声情報が事前に収録されている。
これら番組の映像・音声情報が番組バンク装置１０に入力される。
当該番組バンク装置１０内のエンコーダすなわち第１エンコーダ１１ａ、第２エンコーダ１１ｂ、第３エンコーダ１１ｃ、…、第ｎエンコーダ１１ｎ、は、番組の映像・音声情報を圧縮符号化する。
これら圧縮符号化した情報は、番組データベース１２に蓄積しておく。
【００３６】
しかる後、番組運行管理サーバ５０から提供される番組運行情報５１に記載されている日時・時刻にしたがって、番組データベース１２に圧縮符号化して蓄積されている番組に関する映像・音声データをデコードする。
デコードした映像・音声データを、第１映像・音声１４ａ、第２映像・音声１４ｂ、第３映像・音声１４ｃ、…、第ｎ映像・音声１４ｎとして、送出エンコーダグループ２０の第１送出エンコーダ２０ａ、第２送出エンコーダ２０ｂ、第３送出エンコーダ２０ｃ、…、第ｎ送出エンコーダ２０ｎそれぞれに対して伝送する。
【００３７】
送出エンコーダグループ２０の第１送出エンコーダ２０ａ、第２送出エンコーダ２０ｂ、第３送出エンコーダ２０ｃ、…、第ｎ送出エンコーダ２０ｎそれぞれは、番組バンク装置１０から伝送されてきた映像・音声データを受信して、トランスポートストリーム形式に適合するＭＰＥＧ２データ等に符号化する。
しかる後、各送出エンコーダ２０ａ、２０ｂ、２０ｃ、２０ｎそれぞれによって符号化されたＭＰＥＧ２データ等の映像・音声データは、ＴＳ−ＭＵＸ３０によって多重化される。
多重化された映像・音声データは、トランスポートストリームＴＳｍとして、後段の番組送信システムへと出力される。
【００３８】
ここで、図１の映像符号化システムにおいては、番組の映像・音声データを番組バンク装置１０に登録する際に、番組バンク装置１０内の１ないし複数のエンコーダすなわち第１エンコーダ１１ａ、第２エンコーダ１１ｂ、第３エンコーダ１１ｃ、…、第ｎエンコーダ１１ｎ、によって、一旦、ＭＰＥＧ２やＨ．２６４等のフォーマットを用いて映像を符号化している。
さらに、映像情報をＭＰＥＧ２やＨ．２６４等のフォーマットを用いて符号化した際に、映像の各フレームごとに画像特徴量を抽出して、抽出した画像特徴量を、符号化した映像フレームと合わせて、番組バンク装置１０の番組データベース１２に登録している。
【００３９】
しかる後に、番組送出時点に近づくと、番組運行情報５１にしたがって、番組送出時刻よりもあらかじめ定めた時間だけ早い適当な時刻に、番組バンク装置１０の番組データベース１２から当該番組に関する画像特徴量を統計多重コントローラ４０に対して送出する動作を行う。
統計多重コントローラ４０は、送出エンコーダグループ２０の第１送出エンコーダ２０ａ、第２送出エンコーダ２０ｂ、第３送出エンコーダ２０ｃ、…、第ｎ送出エンコーダ２０ｎの各送出エンコーダにおいて当該番組に関する映像・音声が符号化されるまでの間に、当該番組の映像データの符号化を行う際の映像符号化ビットレートを事前に計算しておく。
【００４０】
しかる後に、当該番組の送出時刻に達すると、番組バンク装置１０から送出エンコーダグループ２０の第１送出エンコーダ２０ａ、第２送出エンコーダ２０ｂ、第３送出エンコーダ２０ｃ、…、第ｎ送出エンコーダ２０ｎの各送出エンコーダに対して当該番組に関する映像・音声データが提供される。
この時点と同時に、統計多重コントローラ４０からも事前に計算されている当該番組に関する映像符号化ビットレートが該当する送出エンコーダに対して通知される。
当該送出エンコーダは、統計多重コントローラ４０から受け取った映像符号化ビットレートにしたがって、番組バンク装置１０から受け取った映像データを、遅延が発生することなくリアルタイムに符号化することができる。
【００４１】
（実施形態の動作の説明）
次に、図１に示した本発明による映像符号化システムの動作例について、図２のシーケンス図を用いて説明する。
図２は、図１の映像符号化システムの動作の一例を説明するためのシーケンス図である。
番組バンク装置１０、統計多重コントローラ４０、送出エンコーダグループ２０のうち送出エンコーダ２０ａおよび送出エンコーダ２０ｎ、および、連携して動作する番組運行管理サーバ５０のそれぞれにおける情報の送受信の様子を時刻の経過に沿って示している。
【００４２】
図２に示すシーケンス図において、番組運行管理サーバ５０は、番組バンク装置１０と統計多重コントローラ４０とに対して、それぞれ、番組運行情報５１、番組運行情報５２を適当なタイミングで常時発行している（シーケンスＳｅｑ１，２）。
該番組運行情報５１、番組運行情報５２の中には、番組送出時刻・送出エンコーダ１台当たりの映像符号化ビットレート・送出エンコーダの符号化優先度等が含まれている。
【００４３】
番組運行情報５１を受け取った番組バンク装置１０は、番組送出時刻よりもあらかじめ定めた時間Ｔだけ早い時刻に達すると、番組データベース１２にあらかじめ蓄積しておいた当該番組の映像フレームに関する画像特徴量１５を統計多重コントローラ４０に対して通知する（シーケンスＳｅｑ３）。
画像特徴量１５を受け取った統計多重コントローラ４０は、番組運行管理サーバ５０から事前に通知されている番組運行情報５２と番組バンク装置１０からの画像特徴量１５とに基づいて、統計多重解析処理を実施する。
これにより、統計多重コントローラ４０は、送出エンコーダグループ２０の各送出エンコーダ（第１送出エンコーダ２０ａ〜第ｎ送出エンコーダ２０ｎ）に割り当てる映像符号化ビットレートを算出する（シーケンスＳｅｑ４）。
【００４４】
しかる後、番組送出時刻に達すると、番組バンク装置１０から送出エンコーダグループ２０の各送出エンコーダ（第１送出エンコーダ２０ａ〜第ｎ送出エンコーダ２０ｎ）に対して、当該番組の各映像・音声データ（第１映像・音声１４ａ〜第ｎ映像・音声１４ｎ）が伝送される（シーケンスＳｅｑ５，Ｓｅｑ７）。
これと同時に、統計多重コントローラ４０からも各送出エンコーダ（第１送出エンコーダ２０ａ〜第ｎ送出エンコーダ２０ｎ）に対して、該当する番組の各映像符号化ビットレート（第１映像符号化ビットレート４１ａ〜第ｎ映像符号化ビットレート４１ｎ）が通知される（シーケンスＳｅｑ６，Ｓｅｑ８）。
【００４５】
各送出エンコーダ（第１送出エンコーダ２０ａ〜第ｎ送出エンコーダ２０ｎ）は、統計多重コントローラ４０から通知されてきた映像符号化ビットレート（第１映像符号化ビットレート４１ａ〜第ｎ映像符号化ビットレート４１ｎ）にしたがって、番組バンク装置１０から伝送されてきた各映像・音声データ（第１映像・音声１４ａ〜第ｎ映像・音声１４ｎ）を符号化する。
各送出エンコーダ（第１送出エンコーダ２０ａ〜第ｎ送出エンコーダ２０ｎ）において符号化された映像・音声データはＴＳ−ＭＵＸ３０において多重化され、後段の番組送信システムへと伝送される。
【００４６】
なお、前述したように、番組バンク装置１０内のエンコーダ（第１エンコーダ１１ａ〜第ｎエンコーダ１１ｎ）において番組の映像・音声情報を番組データベース１２に蓄積するために一旦圧縮符号化する際の符号化方式、および、各送出エンコーダ（第１送出エンコーダ２０ａ〜第ｎ送出エンコーダ２０ｎ）においてＴＳ−ＭＵＸ３０に対して出力するトランスポートストリーム形式に適した状態に符号化する際の符号化方式は、ＭＰＥＧ、Ｈ．２６４等を利用することが可能である。
また、映像帯域制御完了時間を予測する対象は、映像だけではなく、音声・データ放送等のその他のデータに対して実施することも勿論可能である。
【００４７】
（実施形態の効果の説明）
以上に詳細に説明したように、本実施形態においては次のような効果が得られる。
【００４８】
すなわち、番組バンク装置１０に蓄積された画像特徴量を番組送出以前の適当なタイミングで統計多重コントローラ４０に対して通知する。
これにより、急峻な画像特徴量の変化があった場合においても事前に映像符号化ビットレートを算出することができる。
したがって、番組送出時点に達した際に、番組バンク装置１０から送出されてくる映像・音声データに映像符号化ビットレートを追従させて、送出エンコーダにおいて符号化を行うことができる。
よって、画像品質の劣化を抑えることができる。
【００４９】
また、前記特許文献１（特開２００６−７４３３２号公報）に記載されているような２パスリアルタイムエンコーダを使用する方式に比して、ディレイ回路が不要な構成となる。
したがって、送出エンコーダの遅延時間を大幅に削減することが可能である。
【００５０】
以上、本発明の好適な実施形態の構成を説明した。
しかし、かかる実施形態は、本発明の単なる例示に過ぎず、何ら本発明を限定するものではないことに留意されたい。
本発明の要旨を逸脱することなく、特定用途に応じて種々の変形変更が可能であることが、当業者には容易に理解できよう。
【００５１】
上述の実施の形態では、本発明をハードウェアの構成として説明したが、本発明は、これに限定されるものではない。
上記に説明した処理を、コンピュータプログラムによってＣＰＵ（Central Processing Unit）に実行させることができる。
また、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）にコンピュータプログラムを格納して、このコンピュータ可読媒体からコンピュータにプログラムを供給することができる。
非一時的なコンピュータ可読媒体は、様々なタイプの実体ある記録媒体（ｔａｎｇｉｂｌｅ  ｓｔｏｒａｇｅ  ｍｅｄｉｕｍ）を含む。
非一時的なコンピュータ可読媒体としては、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））が例として挙げられる。
また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。
一時的なコンピュータ可読媒体の例は、電気信号、光信号、及び電磁波を含む。
一時的なコンピュータ可読媒体は、電線及び光ファイバ等の有線通信路、又は無線通信路を介して、プログラムをコンピュータに供給できる。
【００５２】
この出願は、２０１１年９月１２日に出願された日本出願特願２０１１−１９８３１１を基礎とする優先権を主張し、その開示の全てをここに取り込む。
【符号の説明】
【００５３】
１ａ・・・第１番組ＶＴＲ、１ｂ・・・第２番組ＶＴＲ、１ｃ・・・第３番組ＶＴＲ、１ｎ・・・第ｎ番組ＶＴＲ、１０・・・番組バンク装置、１０Ａ・・・番組バンク装置、１１Ａａ・・・第１エンコーダ、１１Ａｂ・・・第２エンコーダ、１１Ａｃ・・・第３エンコーダ、１１Ａｎ・・・第ｎエンコーダ、１１ａ・・・第１エンコーダ、１１ｂ・・・第２エンコーダ、１１ｃ・・・第３エンコーダ、１１ｎ・・・第ｎエンコーダ、１２・・・番組データベース、１２Ａ・・・番組データベース、１３ａ・・・第１デコーダ、１３ｂ・・・第２デコーダ、１３ｃ・・・第３デコーダ、１３ｎ・・・第ｎデコーダ、１４ａ・・・第１映像・音声、１４ｂ・・・第２映像・音声、１４ｃ・・・第３映像・音声、１４ｎ・・・第ｎ映像・音声、１５・・・画像特徴量、２０・・・送出エンコーダグループ、２０Ａ・・・送出エンコーダグループ、２０Ａａ・・・第１送出エンコーダ、２０Ａｂ・・・第２送出エンコーダ、２０Ａｃ・・・第３送出エンコーダ、２０Ａｎ・・・第ｎ送出エンコーダ、２０ａ・・・第１送出エンコーダ、２０ｂ・・・第２送出エンコーダ、２０ｃ・・・第３送出エンコーダ、２０ｎ・・・第ｎ送出エンコーダ、２１ａ・・・第１ＴＳ、２１ｂ・・・第２ＴＳ、２１ｃ・・・第３ＴＳ、２１ｎ・・・第ｎＴＳ、２２ａ・・・第１画像特徴量、２２ｂ・・・第２画像特徴量、２２ｃ・・・第３画像特徴量、２２ｎ・・・第ｎ画像特徴量、３０・・・ＴＳ−ＭＵＸ、４０・・・統計多重コントローラ、４０Ａ・・・統計多重コントローラ、４１Ａａ・・・第１映像符号化ビットレート、４１Ａｂ・・・第２映像符号化ビットレート、４１Ａｃ・・・第３映像符号化ビットレート、４１Ａｎ・・・第ｎ映像符号化ビットレート、４１ａ・・・第１映像符号化ビットレート、４１ｂ・・・第２映像符号化ビットレート、４１ｃ・・・第３映像符号化ビットレート、４１ｎ・・・第ｎ映像符号化ビットレート、５０・・・番組運行管理サーバ、５１・・・番組運行情報、５２・・・番組運行情報。
【図１】
2013038582.tif 000003
【図２】
2013038582.tif 000004
【図３】
2013038582.tif 000005
【手続補正書】
【提出日】平成26年2月28日(2014.2.28)
【手続補正１】
【補正対象書類名】特許請求の範囲
【補正対象項目名】全文
【補正方法】変更
【補正の内容】
【特許請求の範囲】
【請求項１】
放送用の番組の映像・音声データを蓄積し、連携して動作する番組運行管理サーバからの番組運行情報にしたがって、送出すべき番組の映像・音声データを取り出す番組バンク装置と、
取り出した当該番組の映像・音声データをトランスポートストリーム形式に適する状態に符号化する１ないし複数の送出エンコーダと、
送出すべき番組の映像データから抽出した画像特徴量に関する統計多重解析処理を実施して、前記送出エンコーダにおいて映像データを符号化する際に用いる映像符号化ビットレートを算出する統計多重コントローラと、を備えた映像符号化システムであって、
前記番組バンク装置は、
番組の映像・音声データを圧縮符号化するとともに、当該番組の映像データの画像特徴量を抽出する１ないし複数のエンコーダと、
前記エンコーダによって圧縮符号化した番組の映像・音声データと抽出した画像特徴量との双方を蓄積する番組データベースと、
前記番組運行情報が示す番組の送出時刻に達した際に、前記番組データベースに蓄積された当該番組に関する映像・音声データをデコードして前記送出エンコーダに対して出力する１ないし複数のデコーダと、
前記番組運行情報が示す番組の送出時刻よりもあらかじめ定めた時間だけ早い時点に達した際に、前記番組データベースに蓄積された当該番組に関する映像データの画像特徴量を取り出して、前記統計多重コントローラに通知する手段と、を備え、
前記統計多重コントローラは、
前記番組運行管理サーバからの前記番組運行情報が示す番組の送出時刻を参照することにより、前記番組バンク装置から通知されてきた番組の映像データの前記画像特徴量に関する統計多重解析処理を実施して前記送出エンコーダ用の映像符号化ビットレートを事前に算出しておき、当該番組のデコードされた映像・音声データが前記番組バンク装置の前記デコーダから前記送出エンコーダに出力されるタイミングに合わせて、算出した前記映像符号化ビットレートを前記送出エンコーダに出力する
ことを特徴とする映像符号化システム。
【請求項２】
請求項１に記載の映像符号化システムにおいて、
前記送出エンコーダは、
前記番組バンク装置の前記デコーダから出力されてきた映像・音声データを、タイミングを合わせて、前記統計多重コントローラから出力されてきた前記映像符号化ビットレートを用いて、トランスポートストリーム形式に適合する状態に符号化する
ことを特徴とする映像符号化システム。
【請求項３】
請求項１または請求項２に記載の映像符号化システムにおいて、
前記番組バンク装置内に備えた前記エンコーダにおいて、番組の映像・音声データを圧縮符号化するとともに、当該番組の映像データの画像特徴量を抽出するための符号化方式として、ＭＰＥＧまたはＨ．２６４を用いる
ことを特徴とする映像符号化システム。
【請求項４】
放送用の番組の映像・音声データを蓄積する番組バンク装置であって、
番組の映像・音声データを圧縮符号化するとともに、当該番組の映像データの画像特徴量を抽出する１ないし複数のエンコーダと、
前記エンコーダによって圧縮符号化した番組の映像・音声データと抽出した画像特徴量との双方を蓄積する番組データベースと、
連携して動作する番組運行管理サーバからの番組運行情報が示す番組の送出時刻に達した際に、前記番組データベースに蓄積された当該番組に関する映像・音声データをデコードして、トランスポートストリーム形式に適する状態に符号化する送出エンコーダに対して出力する１ないし複数のデコーダと、
前記番組運行情報が示す番組の送出時刻よりもあらかじめ定めた時間だけ早い時点に達した際に、前記番組データベースに蓄積された当該番組に関する映像データの画像特徴量を取り出して、前記送出エンコーダにおける映像符号化用の映像符号化ビットレートを算出する統計多重コントローラに通知する手段と、を備えている
ことを特徴とする番組バンク装置。
【請求項５】
請求項４に記載の番組バンク装置において、
前記エンコーダにおいて、番組の映像・音声データを圧縮符号化するとともに、当該番組の映像データの画像特徴量を抽出するための符号化方式として、ＭＰＥＧまたはＨ．２６４を用いる
ことを特徴とする番組バンク装置。
【請求項６】
連携して動作する番組運行管理サーバからの番組運行情報にしたがって、放送用の番組の映像・音声データを蓄積した番組バンク装置から送出すべき番組の映像・音声データを取り出して、１ないし複数の送出エンコーダによってトランスポートストリーム形式に適する状態に符号化して出力する映像符号化方法であって、
前記番組バンク装置に番組の映像・音声データを蓄積する際に、当該番組の映像データの画像特徴量を抽出し、
抽出した該画像特徴量を当該番組の映像・音声データとともに蓄積し、
前記番組運行情報が示す当該番組の送出時刻よりもあらかじめ定めた時間だけ早い時点に達した際に、蓄積しておいた当該番組に関する前記画像特徴量を取り出して、統計多重解析処理を実施して、前記送出エンコーダにおいて映像データを符号化する際に用いる映像符号化ビットレートを事前に算出し、
前記番組運行情報が示す当該番組の送出時刻に達した際に、前記番組バンク装置に蓄積されている当該番組の映像・音声データを前記送出エンコーダに出力するとともに、事前に算出しておいた前記映像符号化ビットレートを前記送出エンコーダに出力する
ことを特徴とする映像符号化方法。
【請求項７】
請求項６に記載の映像符号化方法において、
前記送出エンコーダは、出力されてきた前記番組の映像・音声データを、同時に出力されてきた前記映像符号化ビットレートを用いて、トランスポートストリーム形式に適合する状態に符号化する
ことを特徴とする映像符号化方法。
【請求項８】
請求項６または請求項７に記載の映像符号化方法において、
前記番組バンク装置に番組の映像・音声データと抽出した前記画像特徴量とを蓄積する際に、符号化方式としてＭＰＥＧまたはＨ．２６４を用いて、当該番組の映像・音声データを圧縮符号化するとともに、前記画像特徴量を抽出し、抽出した前記画像特徴量を圧縮符号化した映像・音声データとともに前記番組バンク装置に蓄積する
ことを特徴とする映像符号化方法。
【請求項９】
請求項１に記載の映像符号化システムに組み込まれたコンピュータを、
前記番組バンク装置、前記送出エンコーダ、および、前記統計多重コントローラ、として機能させる映像符号化プログラム。
【国際調査報告】
2013038582.tif 000006
2013038582.tif 000007
2013038582.tif 000008
2013038582.tif 000009